(57)【特許請求の範囲】
【請求項１】
空気中の粒子を捕集する空気清浄装置の捕集部を格納するケーシングに設けられて前記捕集部の接点部と当接して当該捕集部に電力を供給するための複数の接点ばねを前記ケーシングに取付ける接点ばね取付構造において、
前記接点ばねは、板状部材を湾曲させて当接面側に突出させた湾曲部の一部を前記接点部との当接部とし、且つ前記板状部材の少なくとも前記湾曲部の幅方向両側の端部が前記当接面側とは反対方向に屈曲された屈曲部を有する形状を有し、前記ケーシングは、前記接点ばねが設けられる凹部と、該凹部内に設けられて前記接点ばねを着脱自在に保持する取付け部と、前記凹部の開口部を着脱自在に封止すると共に前記接点ばねの前記湾曲部を突出させる開口を有する接点ばねカバーとを具備し、前記凹部は、前記接点ばね毎に独立し、前記ケーシングの前記凹部内には、前記接点ばねの前記取付け部をそれぞれ隔離するリブを有し、前記接点ばねカバーの裏面には、前記リブを挟む位置に突条が設けられていることを特徴とする接点ばね取付構造。
【請求項２】
請求項１において、前記湾曲部の前記屈曲部を有する部分が前記開口から突出していることを特徴とする接点ばね取付構造。
【請求項３】
請求項１又は２において、前記取付け部は、先端に雌ねじ部の開口を有するボスであり、前記接点ばねには、前記ボスを挟持して当該接点ばねを取付け状態に保持する自己保持用つめが設けられていることを特徴とする接点ばね取付構造。
【請求項４】
請求項３において、前記ボスの近傍には当該ボスに取付け状態で自己保持した前記接点ばねの前記ボスを中心とした回転を規制する回転規制突起が設けられていることを特徴とする接点ばね取付構造。
【請求項５】
請求項３又は４において、前記当接部の表面に突起を有することを特徴とする接点ばね取付構造。
【請求項６】
空気中の粒子を捕集する捕集部と、前記捕集部を格納すると共に開口部を有するケーシングと、該ケーシングの前記開口部を開閉自在に覆う蓋体とを具備し、前記ケーシングには前記捕集部の接点部と当接して当該捕集部内の荷電部及び集塵部に電圧を印加するための複数の接点ばねが設けられている空気清浄装置において、
前記接点ばねは、板状部材を湾曲させて当接面側に突出させた湾曲部の一部を前記接点部との当接部とする共に当該当接部の表面に突起を有し且つ前記板状部材の少なくとも前記湾曲部の幅方向両側の端部が前記当接面側とは反対方向に屈曲された屈曲部を有する形状を有し、前記ケーシングは、前記接点ばねが設けられる凹部と、該凹部内に設けられて前記接点ばねを着脱自在に保持する取付け部と、前記凹部の開口部を着脱自在に封止すると共に前記接点ばねの前記湾曲部を突出させる開口を有する接点ばねカバーとを具備し、前記凹部は、前記接点ばね毎に独立し、前記ケーシングの前記凹部内には、前記接点ばねの前記取付け部をそれぞれ隔離するリブを有し、前記接点ばねカバーの裏面には、前記リブを挟む位置に突条が設けられていることを特徴とする空気清浄装置。
【発明の詳細な説明】
【０００１】
【発明の属する技術分野】
本発明は、空気中に浮遊する塵埃、細菌、臭気成分等の粒子を電気的に、濾過により、又はイオン化して集塵する空気清浄装置用の接点ばね取付構造及び空気清浄装置に関するものである。
【０００２】
【従来の技術】
この種の空気清浄装置としては、例えば、実公平４−０５０９０１号に開示されたものがあり、図１４はその正面図、図１５は分解斜視図、図１６は帯電捕集部の取付け状態を説明する断面図である。
【０００３】
これらの図面に示すように、この空気清浄装置０１は、全体が略直方体形状であり、前面が開口部となるケーシング０２と、ケーシング０２の開口部を開閉する蓋体０３とを具備する。蓋体０３には吸込口０４が形成され、ケーシング０２の上部には吐出口０５が形成されている。ケーシング０２の内部にはファン０６が設けられ、その前方には含塵空気をイオン化する荷電部０７と該荷電部０７の下流側に接合して当該荷電部０７でイオン化された塵埃を捕集する集塵部０８とが一体となった帯電捕集部０９が内蔵されている。
【０００４】
ここで、帯電捕集部０９の両側面には、下部に設けられた第１の係止突起０１０と、上部に設けられた第２の係止突起０１１とが設けられている。一方、ケーシング０２の開口部内の側壁には、第１の係止突起０１０を受ける縦長の第１の係止溝０１２と、第２の係止突起０１１が挿入される第２の係止溝０１３とが設けられている。帯電捕集部０９を装着する場合には、その下部の第１の係止突起０１０を第１の係止溝０１２の上部開口から挿入して突起受止部０１２ａに保持し、次いで、帯電捕集部０９を回動させ、第２の係止突起０１１を第２の係止溝０１３に挿入する。第２の係止溝０１３内には、固定用板ばね０１４が設けられており、第２の係止溝０１３内に設けられた保持凸部０１３ａと固定用板ばね０１４とで第２の係止突起０１１を保持固定するようにする。なお、帯電捕集部０９には、取っ手０１５が設けられている。
【０００５】
また、このように帯電捕集部０９を装着した場合には、ケーシング０２内に設けられた高圧印加手段と帯電捕集部０９に設けられた接点部とが接続されるようになっている。すなわち、図示しない接点部は、帯電捕集部０９の底部に設けられ、一方、ケーシング０２の開口部内の底部には、各接点部に対応する位置に接点ばね０１６が開口０２ａから突出するように設けられており、帯電捕集部０９が装着された際に、接点ばね０１６が接点部を付勢するようになっている。なお、各接点ばね０１６には、図示しない高圧印加手段から高電圧が給電されるため、接点ばね０１６の取付け部まで完全にモールドされている。
【０００６】
【発明が解決しようとする課題】
ところが、上述したように、接点ばね０１６は、含塵空気が流通する場所に露出した状態で設けられており、且つ高電圧給電を行っているため、塵埃が接点ばね０１６及びその近傍に付着し易いという問題がある。すなわち、塵埃が原因で漏れ電流が発生し易くなり、場合によっては、ケーシング０２の裏面側の塵埃が原因で接点ばね０１６間に漏れ電流が流れ、集塵効率の低下及び安全性の面で好ましくない。また、接点ばね０１６の表面に、煙草のヤニなどによる絶縁皮膜が形成されて接触不良が生じるという問題もある。
【０００７】
従って、図１７及び図１８に示すように、接点ばね０１６及びその近傍を定期的に清掃する必要があるが、ウェス０１７が接点ばね０１６の幅方向両端のエッジ０１６ａに引っかかり、場合によっては、接点ばね０１６を曲げてしまったり、破損してしまうという問題が発生する。更に、エッジ０１６ａに誤って手が触れるとケガをする虞がある。また、この場合には、接点ばね０１６の交換は容易ではなく、修理に出さなくてはならないという結果となる。さらに、接点ばね０１６の周囲を覆うケーシング０２は容易には外れないようになっているので、十分な清掃は困難であり、ケーシング０２の裏面側の清掃は不可能であるので、ケーシング０２にトラッキング等が形成されてしまうと、ケーシング０２のパネル全体を交換する事態になる。
【０００８】
本発明はこのような事情に鑑み、捕集部の接点部との接触不良等の虞がなく、清掃も容易であり、交換も簡便に行うことができる接点ばね取付構造及び空気清浄装置を提供することを課題とする。
【０００９】
【課題を解決するための手段】
前記課題を解決する本発明の第１の態様は、空気中の粒子を捕集する空気清浄装置の捕集部を格納するケーシングに設けられて前記捕集部の接点部と当接して当該捕集部に電力を供給するための複数の接点ばねを前記ケーシングに取付ける接点ばね取付構造において、前記接点ばねは、板状部材を湾曲させて当接面側に突出させた湾曲部の一部を前記接点部との当接部とし、且つ前記板状部材の少なくとも前記湾曲部の幅方向両側の端部が前記当接面側とは反対方向に屈曲された屈曲部を有する形状を有し、前記ケーシングは、前記接点ばねが設けられる凹部と、該凹部内に設けられて前記接点ばねを着脱自在に保持する取付け部と、前記凹部の開口部を着脱自在に封止すると共に前記接点ばねの前記湾曲部を突出させる開口を有する接点ばねカバーとを具備し、前記凹部は、前記接点ばね毎に独立し、前記ケーシングの前記凹部内には、前記接点ばねの前記取付け部をそれぞれ隔離するリブを有し、前記接点ばねカバーの裏面には、前記リブを挟む位置に突条が設けられていることを特徴とする接点ばね取付構造にある。
【００１０】
かかる第１の態様では、凹部内に設けられて接点ばねカバーの開口から突出する湾曲部を有する接点ばねと接点部との当接は、突起を介して確実に行われ、また、湾曲部の幅方向両端に屈曲部を有するので、剛性が向上し、清掃時等にウェス等が引っかかる虞もない。加えて、凹部内を区画するリブと接点ばねカバーの裏面に設けられた突条とにより、沿面放電が確実に防止される。
【００１１】
本発明の第２の態様は、第１の態様において、前記湾曲部の前記屈曲部を有する部分が前記開口から突出していることを特徴とする接点ばね取付構造にある。
【００１２】
かかる第２の態様では、開口から突出する湾曲部に屈曲部が設けられているので、強度が向上すると共に、清掃の際にウェス等が湾曲部に引っかかることがないので、接点ばねを曲げてしまう等の虞もない。
【００１７】
本発明の第３の態様は、第１又は２の態様において、前記取付け部は、先端に雌ねじ部の開口を有するボスであり、前記接点ばねには、前記ボスを挟持して当該接点ばねを取付け状態に保持する自己保持用つめが設けられていることを特徴とする接点ばね取付構造にある。
【００１８】
かかる第３の態様では、接点ばねの取付けの際に自己保持用つめにより取付けボスに自ら組み付くので、締結作業が容易となる。
【００１９】
本発明の第４の態様は、第３の態様において、前記ボスの近傍には当該ボスに取付け状態で自己保持した前記接点ばねの前記ボスを中心とした回転を規制する回転規制突起が設けられていることを特徴とする接点ばね取付構造にある。
【補正の内容】
【００２０】
かかる第４の態様では、接点ばねの取付けの際に、取付け位置のずれ及び締結によるばねのねじれ等を防止することができる。
本発明の第５の態様は、第３又は４の態様において、前記当接部の表面に突起を有することを特徴とする接点ばね取付構造にある。
かかる第５の態様では、接点ばねと接点部との接触は、突起を介して行われるので、単位面積当たりの接触圧が高くなり、捕集部の着脱時の接触部との摺接により突起の頂部を清浄化することができる。
【００２１】
本発明の第６の態様は、空気中の粒子を捕集する捕集部と、前記捕集部を格納すると共に開口部を有するケーシングと、該ケーシングの前記開口部を開閉自在に覆う蓋体とを具備し、前記ケーシングには前記捕集部の接点部と当接して当該捕集部内の荷電部及び集塵部に電圧を印加するための複数の接点ばねが設けられている空気清浄装置において、前記接点ばねは、板状部材を湾曲させて当接面側に突出させた湾曲部の一部を前記接点部との当接部とする共に当該当接部の表面に突起を有し且つ前記板状部材の少なくとも前記湾曲部の幅方向両側の端部が前記当接面側とは反対方向に屈曲された屈曲部を有する形状を有し、前記ケーシングは、前記接点ばねが設けられる凹部と、該凹部内に設けられて前記接点ばねを着脱自在に保持する取付け部と、前記凹部の開口部を着脱自在に封止すると共に前記接点ばねの前記湾曲部を突出させる開口を有する接点ばねカバーとを具備し、前記凹部は、前記接点ばね毎に独立し、前記ケーシングの前記凹部内には、前記接点ばねの前記取付け部をそれぞれ隔離するリブを有し、前記接点ばねカバーの裏面には、前記リブを挟む位置に突条が設けられていることを特徴とする空気清浄装置にある。
【００２２】
かかる第６の態様では、凹部内に設けられて接点ばねカバーの開口から突出する湾曲部を有する接点ばねと接点部との当接は、突起を介して確実に行われ、また、湾曲部の幅方向両端に屈曲部を有するので、剛性が向上し、清掃時等にウェス等が引っかかる虞もない。加えて、凹部内を区画するリブと接点ばねカバーの裏面に設けられた突条とにより、沿面放電が確実に防止される。
【００２３】
【発明の実施の形態】
本発明を一実施形態に基づいて詳細に説明する。
【００２４】
図１は一実施形態の空気清浄装置の分解斜視図、図２はその横断面図、図３は装置本体の正面図、図４はそのＡ−Ａ線矢視断面図である。
【００２５】
これらの図面に示すように、空気清浄装置１は、全体として略かまぼこ状の形状を有し、前面に開口部を有する装置本体１０と、装置本体１０に着脱自在に装着されるカートリッジタイプの帯電捕集部３０と、装置本体１０の開口部を開閉する横断面が略円弧状の蓋体５０とを具備する。
【００２６】
装置本体１０の全体形状を画成する全体としてかまぼこ形状のケーシング１１は、前面に開口部１２を有する。また、ケーシング１１の開口部１２の内方に図示しない駆動モータを含むファン１３（本実施形態では、クロスフローファンを使用）が設けられ、ケーシング１１の図中上部には吐出口１４が形成されている。さらに、開口部１２内には、後述する帯電捕集部３０のアイオナイザ及びコレクタに電圧を供給するための三つの接点ばね１５が設けられており、ケーシング１１内にはこれら接点ばね１５に接続される図示しない電圧印加手段が内蔵されている。
【００２７】
また、ケーシング１１の開口部１２内の幅方向（図３で左右方向）両側壁には、帯電捕集部３０を装着保持するための第１の係止溝１６及び第２の係止溝１７が設けられ、第２の係止溝１７内には、装着された帯電捕集部３０を保持するための固定ばね１８が設けられている。さらに、開口部１２の図中下部の幅方向両側には、蓋体５０を装着するための装着溝１９が設けられている。装着溝１９の図中下部には蓋体５０を回転自在に支持する支持バー２０が設けられており、装着溝１９内の幅方向外側の側壁には、二本の係止突条２１が設けられている。また、開口部１２の図中上部の幅方向両側、第２の係止溝１７の外側には、蓋体５０を係合保持するための係止孔２２が設けられている。
【００２８】
ここで、接点ばね１５の取付構造の詳細を図５〜図８を参照しながら説明する。図５は接点ばね１５の取付け部を示す斜視図、図６は、接点ばねカバーを取り外した状態を示す斜視図、図７は、接点ばねの取付け状態を示す要部拡大図、図８は、接点ばねカバーの平面図、底面図及び側面図である。
【００２９】
接点ばね１５は、ケーシング１１に画成された凹部７１内に設けられ、凹部７１の開口部には接点ばねカバー８１が着脱自在に設けられている。凹部７１内にリブ７２が設けられ、各接点ばね１５の取付け空間及び各接点ばね１５と図示しない電圧印加手段との配線を配置する空間がそれぞれ区画され、沿面放電を防止し、モールドによる絶縁を廃止している。各接点ばね１５の取付け位置には、接点ばね締結用の取付けボス７４が立設され、接点ばね１５はねじ７５により取付けボス７４に締結される。また、取付けボス７４から接点ばね１５が延びる方向の隣接位置には、接点ばね１５を締結する際の取付けボス７４を中心とする回転を防止する一対の回転規制ボス７６が設けられている。一方、凹部７１を塞ぐ接点ばねカバー８１には、凹部７１に取り付けられた接点ばね１５を露出するための開口部８２が設けられ、開口部８２の両側には接点ばね１５の必要以上の押し込みを防止する保護リブ８３が設けられている。また、凹部７１内に設けられたリブ７２に対向する位置に当該リブ７２を両側から挟む突条８５が設けられている。この突条８５は、リブ７２と共働して沿面放電を防止するものである。なお、接点ばねカバー８１は、開口部８２が設けられた一端側がケーシング１１に係止された状態で他端側に設けられた締結孔８７を介してケーシング１１に締結する構造を有し、比較的容易に着脱自在となる。なお、接点ばねカバー８１の係止端の一部には、天地反対の組み付けを防止する誤組み付け防止リブ８８が突設されている。また、締結孔８７近傍の端部には、接点ばねカバー８１を外すときに指を引っかけるためのつめ８９が設けられている。
【００３０】
また、このような取付けボス７４に取り付けられる接点ばね１５は、基端部に取付けボス７４の上端面に当接する取付け部１５ａを有し、取付け部１５ａが取付けボス７４に締結された状態で他端部が浮いた状態となるように湾曲され、且つ中央部近傍には上方に向かって突出した湾曲部１５ｂが設けられている。この湾曲部１５ｂが接点ばねカバー８１の開口部８２から突出するようになっており、先端部は開口部８２の周縁部と係合して必要以上の飛び出しを防止する係止部１５ｃとなっている。かかる接点ばね１５は、湾曲部１５ｂの基端部側が帯電捕集部３０の接点部３５（後述する図９参照）と当接するようになっており、当接部の中央部には突起１５ｄが設けられている。なお、通常状態の湾曲部１５ｂの突出は、接点ばねカバー８１の開口８２の両側に設けられた保護リブ８３より高くなるようになっている。また、湾曲部１５ｂの幅方向両側には、端面を当接面とは反対方向に折り曲げた折り曲げ部１５ｅが設けられている。さらに、基端部の取付け部１５ａの裏面側には、取付けボス７４を挟持して接点ばね１５を保持する保持つめ１５ｆが設けられており、取付けボス７４への締結作業を容易にしている。
【００３１】
ここで、保持つめ１５ｆは、取付け部１５ａと同一の方向に立設された一対のつめからなり、それぞれは湾曲部１５ｂ側から内側に向かって立設された長い辺とその先に延設されて外側に屈曲した短い辺とからなる断面略への字状をなして鏡像状に配置されている。そして、断面略への字状の長い辺が取付けボス７４の半径より若干長く且つ長い辺と短い辺との屈曲部である凸部１５ｇの内側の間隔は取付けボス７４の直径より小さく設定されており、凸部１５ｇが取付けボス７４を抱え込むようになっている。
【００３２】
一方、帯電捕集部３０は、全体として略かまぼこ形状をなしてケーシング１１の開口部１２内にファン１３を囲むように装着できる形状を有する。詳細は省略するが、湾曲した前面には吸込口３１を有し、その内方には、順次、プレフィルタ、帯電部であるアイオナイザ、及び捕集部であるコレクタが内蔵され、さらに、裏面側にはオゾン分解タイプの脱臭フィルタが取り付けられている。従って、吸込口３１から含塵空気等を送り込むと、塵埃が除去された清浄空気が裏面側から吐出するようになっている。また、帯電捕集部３０の両側壁には、ケーシング１１の開口部１２内に装着するための第１の係止突起３２及び第２の係止突起３３が突設されている。さらに、詳細は図９に図示するが、帯電捕集部３０の一端面には、上述したアイオナイザ及びコレクタと、装置本体１０の接点ばね１５との接続を図るための接点部３５が、帯電捕集部３０の外殻３６に形成された開口３６ａから露出している。
【００３３】
ここで、アイオナイザ及びコレクタは、放電電極部材、対向電極部材及び高圧電極部材の組み合わせにより形成し、対向電極部材は体積固有抵抗値が１０７Ωｃｍ以下の導電性樹脂材料で形成し、高圧電極部材は体積固有抵抗値が１０１０〜１０１３Ωｃｍの半導電性樹脂材料で形成するのが好ましい。この場合、アイオナイザは、放電電極部材と対向電極部材との組み合わせにより構成され、コレクタは、対向電極部材と高圧電極部材との組み合わせにより構成される。また、好適には、各放電電極部材、対向電極部材及び高圧電極部材は、それぞれの材料で、複数の略円弧状の櫛歯を有する形状に一体成形したものとし、これらを組み合わせることによりアイオナイザ及びコレクタを構成するようにするのが好ましい。
【００３４】
ここで、各対向電極部材及び高圧電極部材は、お互いが平行平板状であって、それぞれが平行且つ等間隔に交互に並ぶことが必要である。電気式集塵方式の場合は、対向電極部材と高圧電極部材は、集塵効率を確保するために電界の強度を均一に（気流の上流位置と下流位置での電極間距離を均一に）するために平行・等間隔であることが必要であり、また、通気抵抗の関係から本発明のようなクロスフローファンを用いた場合には、略円弧状の各電極板は、ファン１３の軸方向に対し直交するように配置すると都合がいい。これにより、各電極板間の空気流量を同じ程度にし、通気抵抗を少なくすると共に、各電極板の集塵性能を有効に使うことができる。
【００３５】
このように構成したアイオナイザ及びコレクタでは、アイオナイザにより荷電された粒子の中に導電性粉塵が混在していても、高圧電極部材の電荷の移動が半導電性樹脂材料の抵抗で制限されるため、集塵部の高圧電極部材と対向電極部材との間でのスパーク発生が防止できる。
【００３６】
このような帯電捕集部３０の装置本体１０への取付け状態を図９に示す。図示するように、まず、帯電捕集部３０の側壁の第１の係止突起３２を第１の係止溝１６の突起受け部１６ａ（図４参照）に挿入し、突起受け部１６ａを中心として帯電捕集部３０を回動すると、第２の係止突起３３が第２の係止溝１７内に挿入し、固定ばね１８により固定保持される。このとき、帯電捕集部３０の接点部３５が接点ばね１５に当接して接点ばね１５を押し込み、装着後は、接点ばね１５は弾性変形した状態で突起１５ｄが接点部３５に付勢された状態となる。このとき、接点部３５の回動運動による押圧方向と接点ばね１５の弾性変形の方向とが一致しているので、接点ばね１５に不必要なストレスがかかることがない。
【００３７】
一方、蓋体５０は、ケーシング１１に対して着脱自在であり且つ開口部１２を開閉するもので、全面に帯電捕集部３０の吸込口３１と対向する吸込口５１が形成されている。蓋体５０の図中下部の幅方向両側には、ケーシング１１の支持バー２０を回転自在に把持する把持部５２が設けられている。また、把持部５２の近傍上側には、ケーシング１１の装着溝１９に挿入される薄板状のステー部５３が突設されており、ステー部５３の先端部外側には装着溝１９内の係止突条２１と係合可能な円柱状の係止凸部５４が設けられている。また、ステー部５３の外側には、係止凸部５４と係止突条２１との係止状態を解除するために当該ステー部５３を厚さ方向に弾性変形させる際に指置きの指標となる指置き部５５が設けられている。一方、蓋体５０の図中上部の裏面側には、ケーシング１１を貫通する係止孔２２に挿入されて係合する係止つめ５６が突設されている。従って、蓋体５０の着脱及び開閉する場合には、把持部５２に支持バー２０を挿入した状態で蓋体５０を回動すると、把持部５２は支持バー２０を回動自在に把持し、脱離できなくなる。この状態で、蓋体５０を閉める方向に回動すると、ステー部５３の係止凸部５４が一本目の突条２１に当接する。ここでステー部５３を内側に弾性変形させて係止凸部５４を一本目の係止突条２１を乗り越えさせると、係止凸部５４は、二本の係止突条２１の間に位置決めされ、この状態は保持される。また、この状態からステー部５３を内側に弾性変形させながら蓋体５０を閉方向に回動すると、係止凸部５４は二本目の係止突条２１を乗り越え、位置決め保持状態が解除される。
【００３８】
ここで、二本の係止突条２１のそれぞれの外側面は、高さが外側ほど低い傾斜面２１ａとなっており、内側は垂直面２１ｂとなっている。また、係止凸部５４は、蓋体５０の回動に伴って円弧状の軌跡を移動するので、円筒形状となっている。従って、係止凸部５４が係止突条２１間に入る方向への移動の場合には、円筒形状の係止凸部５４が傾斜面２１ａを容易に乗り越え可能であり、ステー部５３を必ずしも弾性変形させる必要はない。一方、係止凸部５４が係止突条２１間から抜け出す方向への移動は垂直面２１ｂにより規制され、ステー部５３を弾性変形することなしに位置決め保持状態を解除することはできず、この状態は確実に保持される。また、係止凸部５４が二本の係止突条２１を乗り越えた後は、蓋体５０が完全に閉じる状態まで自由に回動可能であり、係止つめ５６を係止孔２２（図３参照）に挿入し、蓋体５０の開閉端部、好適には両側の押圧部５７又はこの近傍を図１０に示すように押すことにより、蓋体５０が湾曲方向に沿って僅かに弾性変形し、係止つめ５６が係止孔２２と係合する。
【００３９】
以上説明した本実施形態の空気清浄装置は、略かまぼこ形状のケーシング１１内のデッドスペースを最大限に減少させてコンパクト化を図ると共に含塵空気等の吸込面積を最大限にでき且つ気流ロスを減少させることができるという効果を奏する。
【００４０】
また、特に、接点ばね１５及び接点ばね１５の取付構造に以下ような特長がある。
【００４１】
まず、接点ばね１５に帯電捕集部３０の接点部３５が当接する際の接点部３５の円弧状の移動方向と、この移動による押圧での接点ばね１５の弾性変形の方向とが一致しているので、接点ばね１５に不必要なストレスがかかることがない。例えば、棒状の突起をコイルばねで移動可能に保持したものを接点とした場合、回転運動より受ける力の方向と弾性変形の方向とが一致しないので、接点をこじったり、折ったりする虞があるが、本実施形態の構成ではこのような心配がない。
【００４２】
また、接点ばね１５と接点部３５との接触は、突起１５ｄを介して行われるので、単位面積あたりの接触圧が高くなり、帯電捕集部３０の着脱時の接点部３５との摺接により突起１５ｄの頂部の清浄化が図られるという利点がある。
【００４３】
さらに、接点ばね１５の湾曲部１５ｃの両端部に折り曲げ部１５ｅが設けられているので、強度が向上すると共に、図１０に示すように、清掃の際にウェス９０等が接点ばね１５の湾曲部１５ｂに引っかかることがないので、接点ばね１５を曲げてしまう等の虞もない。
【００４４】
また、湾曲部１５ｂは、接点ばねカバー８１の開口８２の両側に設けられた保護リブ８３により挟持されているので、帯電捕集部３０の装着時及び清掃時に必要以上に押し込まれて余計な弾性負荷を受けることがない。
【００４５】
さらに、接点ばね１５の取付け空間をリブ７２により区画して沿面放電を防止しているので、接点ばね１５の配線との接続部等もモールドする必要がなく、接点ばね１５及び接点ばねカバー８１が着脱可能となっている。また、沿面放電防止のために、接点ばねカバー８１の裏面にも突条８５を設けているので、沿面放電を確実に防止できる。従って、接点ばねカバー８１も取り外して丸洗い等可能であり、漏れ電流等の発生を防止することができ、集塵効率の向上を図ることができる。また、万が一接点ばね１５が破損等した場合にも、容易に交換可能であり、取付けボス７４に自分自身を保持する保持つめ１５ｆを有し、且つ取付けボス７４の近傍に回転規制ボス７６が設けられているので、交換作業も非常に容易であり、取付け時の位置ずれ、ねじれ等の心配もない。
【００４６】
なお、上述した実施形態の空気清浄装置１は、例えば、図１１（ａ）に示すように、ロッカ１１１の上面１１１ａの空きスペースに安定設置でき、又は図１１（ｂ）に示すように、脚１ａを装着して起こし置きが可能であり、スペースの有効利用が可能となる。この場合、高めのロッカの上面に配置しても、安定性を確保できると共に、室内空気の流通を妨げることなく清浄空気を広い範囲に拡散させることができる。
【００４７】
また、図１２（ａ）に示すように、脚１ａを有する空気清浄装置１を床上に起こして置くこともでき、図１２（ｂ）に示すように幅方向一端部にフランジ１ｂを取り付けて縦置きもでき、図１２（ｃ）に示すように前面だけのフランジ１ｃを取り付けることにより室内のコーナ部に設置することもでき、また、図１２（ｄ）に示すようにタンス１１２の脇などの狭所に設置することができる。さらに、図１３（ａ）に示すように、例えば、窓１１３の上などに横向きに壁掛け設置することができ、図１３（ｂ）に示すように、窓１１３の脇に縦に壁掛け設置できる。なお、図１３（ａ）のように横向き設置する場合には、天地逆にも設置可能である。
【００４８】
本実施形態の空気清浄装置は、上述した何れの設置態様においても、蓋体５０の開閉動作及び帯電捕集部３０の着脱作業は、上述したように行うことができ、捕集部の接点部との接触不良等の虞もない。
【００４９】
【発明の効果】
以上説明したように本発明の接点ばね取付構造によると、捕集部の接点部との接触不良等の虞がなく、清掃も容易であり、交換も簡便に行うことができ、また、コンパクト化を図ると共に空気の流れを最大限に確保した空気清浄装置を実現できる。
【図面の簡単な説明】
【図１】本発明の一実施形態の空気清浄装置の分解斜視図である。
【図２】本発明の一実施形態の空気清浄装置の横断面図である。
【図３】本発明の一実施形態の装置本体の正面図である。
【図４】本発明の一実施形態の装置本体のＡ−Ａ線矢視断面図である。
【図５】本発明の一実施形態の装置本体の斜視図である。
【図６】本発明の一実施形態の装置本体から接点ばねカバーを外した斜視図である。
【図７】本発明の一実施形態の接点ばねを示す斜視図である。
【図８】本発明の一実施形態の接点ばねカバーの平面図、底面図及び側面図である。
【図９】本発明の一実施形態の帯電捕集部の装着状態を説明する一部を切り欠いた側面図である。
【図１０】本発明の一実施形態の接点ばねの清掃時の様子を示す要部断面図である。
【図１１】本発明の一実施形態の空気清浄装置の使用状態を説明する斜視図である。
【図１２】本発明の一実施形態の空気清浄装置の使用状態を説明する斜視図である。
【図１３】本発明の一実施形態の空気清浄装置の使用状態を説明する斜視図である。
【図１４】従来技術に係る空気清浄装置の正面図である。
【図１５】従来技術に係る空気清浄装置の分解斜視図である。
【図１６】従来技術に係る空気清浄装置の帯電捕集部の保持状態を示す断面図である。
【図１７】従来技術に係る接点ばねの清掃の様子を示す斜視図である。
【図１８】従来技術に係る接点ばねの清掃の様子を示す要部断面図である。
【符号の説明】
１  空気清浄装置
１０  装置本体
１１  ケーシング
１２  開口部
１３  ファン
１４  吐出口
１５  電極
１６  第１の係止溝
１７  第２の係止溝
１９  装着溝
２０  支持バー
２１  係止突条
２２  係止孔
３０  帯電捕集部
３１  吸込口
３２  第１の係止突起
３３  第２の係止突起
５０  蓋体
５１  吸込口
５２  把持部
５３  ステー部
５４  係止凸部
７１  凹部
７２  リブ
７４  取付け用ボス
７６  回転規制ボス
８１  接点ばねカバー
８２  開口
８３  リブ
８５  突条
【図１】
0003599266.tif 000002
【図２】
0003599266.tif 000003
【図３】
0003599266.tif 000004
【図４】
0003599266.tif 000005
【図５】
0003599266.tif 000006
【図６】
0003599266.tif 000007
【図７】
0003599266.tif 000008
【図８】
0003599266.tif 000009
【図９】
0003599266.tif 000010
【図１０】
0003599266.tif 000011
【図１１】
0003599266.tif 000012
【図１２】
0003599266.tif 000013
【図１３】
0003599266.tif 000014
【図１４】
0003599266.tif 000015
【図１５】
0003599266.tif 000016
【図１６】
0003599266.tif 000017
【図１７】
0003599266.tif 000018
【図１８】
0003599266.tif 000019